(57)【要約】【課題】  二槽式粉体流量計に新しい機能を付与することにより、より利用分野を拡大することである。【解決手段】  二槽式流量計において、粉体投入室と空気通路から成るスケ−ルホッパ−を設けたこと、スケ−ルホッパ−を支持体に設置し、支持体をフレ−ムから引き出すこと、または回転移動させることができること、箱型切換ゲ−トが流量計ケ−シングに軸を介して粉体投入口の下方に取付けられており、箱型切換ゲ−トの下方に可撓性部品が取り付けられていること、スケ−ルホッパ−に加熱装置を設けたこと、を特徴とする。【選択図】      図６
2005077345.tif 000002
【特許請求の範囲】
【請求項１】
二槽式流量計において、粉体投入室と空気通路から成るスケ−ルホッパ−を設けたことを特徴とする二槽式流量計。
【請求項２】
二槽式流量計において、粉体投入室と空気通路から成るスケ−ルホッパ−を設け、スケ−ルホッパ−を支持体に設置し、支持体をフレ−ムから引き出すことができることを特徴とする二槽式流量計。
【請求項３】
二槽式流量計において、スケ−ルホッパ−を支持体に設置し、支持体とフレ−ムを回転軸により結合し、回転軸を介して支持体を回転移動せしめることにより、支持体をフレ−ムから取り出すことができることを特徴とする二槽式流量計。
【請求項４】
二槽式流量計において、スケ−ルホッパ−における箱型切換ゲ−トが流量計ケ−シングに軸を介して粉体投入口の下方に取付けられており、箱型切換ゲ−トの下方に可撓性部品が取り付けられていることを特徴とする二槽式流量計。
【請求項５】
二槽式流量計において、スケ−ルホッパ−に加熱装置を設けたことを特徴とする二槽式流量計。
【発明の詳細な説明】
【技術分野】
【０００１】
この発明は、二槽式粉体流量計の機能向上を図るために各種の付加機能構成をこの粉体流量計に付加することにある。
【背景技術】
【０００２】
二槽式粉体流量計とは、図１に示すように、発信器１８は粉体投入口１の下部に切換ゲ−ト２を設け、その下部に二槽のスケ−ルホッパ−９を設置する構造である（特許文献１−１）。スケ−ルホッパ−９は、図２に示すように、ロ−ドセルのような計重器６において保持され、スケ−ルホッパ−内へ投入された粉体の重量を計測する。さらに、スケ−ルホッパ−９の下部には、外部信号により作動する、例えばエアシリンダにより開閉する開閉ゲ−ト１１が設けられており、スケ−ルホッパ−９内に滞留した粉体を排出することができる。以上の切換ゲ−ト２と開閉ゲ−ト１１はマイクロプロセッサなどを内蔵した受信器１９の操作信号により例えばエアシリンダの作用により作動する。アウタ−ケ−ス１４はスケ−ルホッパ−９を外気遮断する為に設けられているが、これを使用するのはオプションである。スケ−ルホッパ−９の計重器６の計測重量信号は受信器１９に入力される。粉体投入口１よりスケ−ルホッパ−９Ａ内に粉体が投入され、同粉体の重量が予め受信器１９に設定された目標重量を越えると、受信器１９より切換ゲ−ト２に操作信号が発信され、切換ゲ−ト２は切り替わり、スケ−ルホッパ−９Ｂに、粉体が投入される。この時点では、スケ−ルホッパ−９Ｂの開閉ゲ−ト１１Ｂが閉じている。スケ−ルホッパ−９Ａの粉体の重量は受信器１９に入力され、積算等の演算処理が行われる。その後、スケ−ルホッパ−９Ａの開閉ゲ−ト１１Ａが受信器１９の操作信号により開かれ、内部の粉体が排出される。スケ−ルホッパ−９Ｂ内の粉体重量が目標重量を越えると、切換ゲ−トが切り替わる。上記と同様の操作が行われる。上記操作は、例えば受信器１９の操作信号を電磁弁に伝達し、圧縮空気とエアシリンダにより行われる。このようにして、この二槽式粉体流量計を通過した粉体の流量が計測される。
【０００３】
この流量計の特徴は、一槽式流量計（通称ホッパ−スケ−ル、図２）と異なり、粉体投入口１へは、粉体を連続投入できることである。したがって、一槽式流量計（特許文献１−２）のように、図２に示す供給ホッパ−５を必要としない。その結果、取り付けスペ−スが節約できる。一方、精度は一槽式流量計と同様に計重器６を使用しているため、一槽式流量計と同等の高精度が得られる。
【特許文献１−１】特開２００１−２８９７００号公報（第３図参照）
【特許文献１−２】特開２００１−２８９７００号公報（第２図参照）
【発明の開示】
【発明が解決しようとする課題】
【０００４】
この発明の目的は、二槽式粉体流量計に新しい機能を付与することにより、より利用分野を拡大することである。
【課題を解決するための手段】
【０００５】
この発明は、二槽式流量計において、粉体投入室と空気通路から成るスケ−ルホッパ−を設けたことを特徴とする。
【０００６】
この発明は、二槽式流量計において、スケ−ルホッパ−を支持体に設置し、支持体をフレ−ムから引き出すことができることを特徴とする。
【０００７】
この発明は、二槽式流量計において、スケ−ルホッパ−を支持体に設置し、支持体とフレ−ムを回転軸により結合し、回転軸を介して支持体を回転移動せしめることにより、支持体をフレ−ムから取り出すことができることを特徴とする。
【０００８】
この発明は、二槽式流量計において、箱型切換ゲ−トのケ−シングに軸を介して、同ケ−シングに回転自在に取付けられた箱型切換ゲ−トが流量計ケ−シングの粉体投入口の下方において左右に傾斜し、同箱型切換ゲ−トの下端に可撓性部品が取り付けられいることを特徴とする。
【０００９】
この発明は、二槽式流量計において、スケ−ルホッパ−に加熱装置を設けたことを特徴する。
【発明の効果】
【００１０】
この発明によると、スケ−ルホッパ−を二室に仕切り、一方は粉体投入室とし、もう一方は逆流する空気の空気通路とすれば、この逆流の障害が解決できる。
【００１１】
この発明によると、スケ−ルホッパ−内をプロセスに設置されたままの状態で任意に掃除することができ、その結果、コンタミ防止とかサニタリ−機能を更に高めることができる。
【００１２】
この発明によると、回転軸をフレ−ムの両側に設ければ、両支持体は観音開き状で発信器の外に回転移動できる。この場合、スケ−ルホッパ−部の上下の部分の清掃も行い易くなる。
【００１３】
この発明によると、切替ゲ−トが箱型になっており、粉体は粉体投入口よりすべて箱型切替ゲ−ト内に投入されるため、異物がひっかかる等の障害が発生しない。更に、箱型切換ゲ−トの下端の可撓性部品により分岐部における異物のひっかかり又は別のスケ−ルホッパ−への流下を防止する機能が生ずる。
【００１４】
この発明によると、スケ−ルホッパ−に加熱装置を設け、スケ−ルホッパ−の内面の温度を上昇せしめることにより、スケ−ルホッパ−の内面の付着を防止できる。
【発明を実施するための最良の形態】
【００１５】
図１のプレ−ト型切換ゲ−ト２は、単に一枚の板構造である。この場合、粉体中に鉄片とか針金のような異物が混入していると、板構造等にひっかかり、機能障害を発生する。これに対して、図３に示す箱型切換ゲ−ト２は、上記板構造に相当する部分が箱型になっており、軸２４を中心に左右に旋回され、粉体は粉体投入口１よりすべて箱型切換ゲ−ト２の内に投入されるため、異物がひっかかる等の障害が発生しない。さらに、箱型切換ゲ−ト２の下部に可撓性部品３、例えばゴム製のひれを設けることにより、粉体の流下をより正常にして、分岐部４における異物のひっかかり又は別のスケ−ルポッパ−９への流下を防止する機能が生ずる。
【００１６】
例えば水分含有量の高い粉体の場合、スケ−ルホッパ−９内に付着し、さらに、付着が成長し、スケ−ルホッパ−９から開閉ゲ−ト１１を経由して、粉体の排出を阻害することがある。これに対しては、図４のように、スケ−ルホッパ−の外側に、例えばヒ−タ２１のような加熱装置を設け、スケ−ルホッパ−９の内面の温度を上昇せしめることにより、上記付着を防止することを発見した。
【００１７】
コンタミ防止とかサニタリ−機能を向上するためには、図１に示すような、スケ−ルポッパ−９を外気遮断するためのアウタケ−ス１４を省略することが求められる。その場合、切換ゲ−ト部２とスケ−ルホッパ−９と粉体排出口２０とは、図５に示すように、粉体を外気遮断するために、蛇腹８などフレキシブル構造により上下を接続している。この場合、例えば、粉体がスケ−ルホッパ−９Ａから排出された瞬間は、スケ−ルポッパ−９Ｂの開閉ゲ−ト１１Ｂは閉じているため、粉体排出口２０に滞留している空気の逃げ道が無いため、粉体排出口内の圧力が高まり、粉体排出口内の空気が粉体投入口１へ向けて、逆流することになる。この逆流はスケ−ルポッパ−９Ｂの計測精度に悪影響を及ぼすと共に、その他各種の障害を発生することになる。これに対して、スケ−ルホッパ−９を二室に仕切り、一方は粉体投入室２２とし、もう一方は逆流する空気の空気通路２３とすれば、この障害は解決できる。図６には、その実施例を示す。
【００１８】
コンタミ防止とかサニタリ−機能を更に高めるには、スケ−ルホッパ−９内をプロセスに設置されたままの状態で任意に掃除することが必要である。その場合は、一槽又は二槽のスケ−ルホッパ−９と、その計重器６を支持体７に設置し、支持体７をガイドする支持枠ガイド１３をフレ−ム１０に設け、この支持体７を発信器内より、外部に引き出し、清掃することにすれば、これが可能である。図７はその実施例である。アウタケ−ス１４を設けている場合は、図８の実施例のように、支持体７にアウタケ−ス用前板１５を設け、清掃のために引き出す時は、アウタケ−ス用前板１５をアウタケ−ス１４と固定しているボルト１６を取り外して接続を解除する構造が必要である。アウタケ−ス１４が使用されていない図６の場合は、清掃のため支持体７を引き出す時は、スケ−ルホッパ−９の上下に設けられている蛇腹８の取り外し接続１７を解除し、スケ−ルホッパ−９を系外に取り出す必要がある。このスケ−ルホッパ−９を系外に取り出し得る構造を示す実施例を図９に示す。
【００１９】
図１０は、支持体７を発信器内より外部に取り出すための、別の方式を示している。支持体７は回転軸２４を中心に回転する構造である。この回転軸２４は発信器のフレ−ム１０から張り出したヒンジと支持体７から張出したヒンジを貫通しており、支持体７が回転軸２４を中心に回転する構造である。これによって、必要に応じてスケ−ルホッパ−９を清掃するために外部に回転移動させることができる。アウタ−ケ−ス１４付きの発信器の場合は、図８のアウタ−ケ−ス用前板１５を支持体７に設ける必要がある。図９のように、発信器がアウタ−ケ−ス１４を必要としない場合は、スケ−ルホッパ−９の上下に、図９に示すような蛇腹８を設けることが必要である。回転軸２４をフレ−ム１０の両側に設ければ、両支持体７は観音開き状で発信器の外に回転移動できる。この場合、スケ−ルホッパ−部９の上下の部分の清掃も行い易くなる。
【図面の簡単な説明】
【００２０】
【図１】プレ−ト型切換ゲ−トの下部に二槽のスケ−ルホッパ−を設置する構造を示す。
【図２】計重器に保持され、スケ−ルホッパ−内へ投入された粉体の重量を計測する構造を示す。
【図３】粉体を粉体投入口より箱型切替ゲ−トの内に投入させる構造を示す。
【図４】スケ−ルホッパ−の外側にヒ−タのような加熱装置を設けた構造を示す。
【図５】粉体を外気遮断する切換ゲ−トを備える二槽式粉体流量計を示す。
【図６】スケ−ルホッパ−を二室に仕切り、粉体投入室と空気通路とした二槽式粉体流量計を示す。
【図７】計重器を発信器とは別の支持体に設置したフレ−ム構造を示す。
【図８】支持体にアウタケ−ス用前板を設けた斜視図を示す。
【図９】スケ−ルホッパ−を系外に取り出し得る構造を示す。
【図１０】支持体を回転軸を中心に回転させ、スケ−ルホッパ−を系外に取り出し得る他の構造を示す。
【符号の説明】
【００２１】
１．．．．．粉体投入口
２．．．．．プレ−ト型切換ゲ−ト或いは箱型切換ゲ−ト
３．．．．．可撓性部品
４．．．．．分岐部
５．．．．．供給ホッパ−
６．．．．．計重器
７．．．．．支持体
８．．．．．蛇腹
９．．．．．スケ−ルホッパ−
１０．．．．フレ−ム
１１．．．．開閉ゲ−ト
１２．．．．受けホッパ−
１３．．．．支持枠ガイド
１４．．．．アウタケ−ス
１５．．．．アウタケ−ス用前板
１６．．．．ボルト
１７．．．．取り外し接続
１８．．．．発信器
１９．．．．受信器
２０．．．．粉体排出口
２１．．．．ヒ−タ
２２．．．．粉体室
２３．．．．空気通路
２４．．．．軸
【図１】
2005077345.tif 000003
【図２】
2005077345.tif 000004
【図３】
2005077345.tif 000005
【図４】
2005077345.tif 000006
【図５】
2005077345.tif 000007
【図６】
2005077345.tif 000008
【図７】
2005077345.tif 000009
【図８】
2005077345.tif 000010
【図９】
2005077345.tif 000011
【図１０】
2005077345.tif 000012